(57)【要約】【課題】画像処理の目標値と評価値との誤差を減少することのできる画像処理装置及びプログラムを提供する。【解決手段】画像処理装置１は、画像情報３０に対して画像処理を実行する複数の画像処理モジュールと画像処理モジュールの画像処理の能力の期待値を示す期待値表情報３２を記憶する記憶部３と、画像処理の能力の目標値を設定する目標値設定手段２０Ｈと、目標値と、期待値表情報３２の期待値に対して重み付けして算出される総合期待値とに基づいて画像処理モジュールを組み合わせて画像処理手法を構成する手法構成手段２０Ａと、画像情報３０に対して、画像処理手法を用いて処理単位ごとに画像処理を実行する画像処理実行手段２０Ｉと、画像情報３０に対して実行された画像処理の能力を処理単位ごとに評価して評価値を出力する評価値算定手段２０Ｅと、目標値及び評価値に基づいて画像処理モジュールを差し替える手法差替手段２０Ｂとを有する。【選択図】図１
2010097346.tif 000002
【特許請求の範囲】
【請求項１】
画像情報に対して画像処理を実行する複数の画像処理モジュールと前記画像処理モジュールの前記画像処理の能力の期待値を示す期待値表情報を記憶する記憶手段と、
前記画像処理の能力の目標値を設定する目標値設定手段と、
前記目標値と、前記期待値表情報の前記期待値に対して重み付けして算出される総合期待値とに基づいて前記画像処理モジュールを組み合わせて画像処理手法を構成する手法構成手段と、
前記画像情報に対して、前記手法構成手段によって構成された前記画像処理手法を用いて処理単位ごとに画像処理を実行する画像処理実行手段と、
前記画像情報に対して実行された前記画像処理の能力を前記処理単位ごとに評価して前記目標値に対応した評価値を出力する評価値算定手段と、
前記目標値及び前記評価値に基づいて前記画像処理モジュールを差し替える手法差替手段とを有する画像処理装置。
【請求項２】
前記手法差替手段は、前記評価値が前記目標値を達成していない場合、前記総合期待値が次点の前記画像処理モジュールに差し替える請求項１に記載の画像処理装置。
【請求項３】
前記手法構成手段は、前記総合期待値が次点の前記画像処理モジュールの評価値が前記目標値を達成しない場合、前記期待値の前記重みづけを変更することで前記総合期待値を算出しなおして前記期待値情報を書き換え、
前記手法差替手段は、書き換えられた前記期待値情報の総合期待値に基づいて前記画像処理モジュールを差し替える請求項２に記載の画像処理装置。
【請求項４】
前記手法差替手段は、前記期待値を達成しない画像処理モジュールから、前記期待値を達成する画像処理モジュールに差し替える際、前記処理単位ごとに前記期待値の順に段階的に前記画像処理モジュールを差し替える請求項１に記載の画像処理装置。
【請求項５】
前記評価値算定手段は、前記画像処理手法を構成する前記画像処理モジュールごとに前記画像処理の能力を評価する請求項１に記載の画像処理装置。
【請求項６】
画像情報に対して実行する画像処理の能力の目標値を設定する目標値設定ステップと、
前記目標値と、前記画像処理の能力の期待値を示す期待値表情報の前記期待値に対して重み付けして算出される総合期待値とに基づいて前記画像処理を実行する画像処理モジュールを組み合わせて画像処理手法を構成する手法構成ステップと、
前記画像情報に対して、前記画像処理手法を用いて処理単位ごとに画像処理を実行する画像処理実行ステップと、
前記画像情報に対して実行された前記画像処理の能力を前記処理単位ごとに評価して前記目標値に対応した評価値を出力する評価値算定ステップと、
前記目標値及び前記評価値に基づいて前記画像処理モジュールを差し替える手法差替ステップとを有する画像処理プログラム。
【請求項７】
画像情報に対して実行される画像処理の目標値を設定する目標値設定手段を有する端末装置と、
前記画像処理を実行する複数の画像処理モジュールと前記画像処理モジュールの前記画像処理の能力の期待値を示す期待値表情報を記憶する記憶手段と、
前記目標値と、前記期待値表情報の前記期待値に対して重み付けして算出される総合期待値とに基づいて前記画像処理モジュールを組み合わせて画像処理手法を構成する手法構成手段と、
前記画像情報に対して、前記手法構成手段によって構成された前記画像処理手法を用いて処理単位ごとに画像処理を実行する画像処理実行手段と、
前記画像情報に対して実行された前記画像処理の能力を前記処理単位ごとに評価して前記目標値に対応した評価値を出力する評価値算定手段と、
前記目標値及び前記評価値に基づいて前記画像処理モジュールを差し替える手法差替手段とを有する画像処理システム。
【発明の詳細な説明】
【技術分野】
【０００１】
本発明は、画像処理装置、プログラム及びシステムに関する。
【背景技術】
【０００２】
任意の画像処理モジュールを組み合わせて所望の画像処理を行うことのできる画像処理装置が知られている（例えば、特許文献１参照）。
【０００３】
この特許文献１の画像処理装置は、複数種の画像処理モジュールと、画像処理モジュールから任意の組み合わせを選択する選択手段と、各画像処理モジュール間に設置されて処理中の画像の情報を記憶するバッファとを有し、それぞれデータ処理の単位が異なる画像処理モジュールを組み合わせた画像処理手法を構成して画像に対して適用する場合にも、バッファにおいて画像の情報を一旦記憶することで次の画像処理モジュールに適切なデータ処理の単位で画像の情報を入力するため、任意の画像処理モジュールを組み合わせて画像処理を実行することができる。また、各画像処理モジュールの画像処理の速度や画像処理適用後の画質等の処理能力を示す期待値を目安にして利用者が所望する画像処理の速度や画質等の目標値に合わせて画像処理モジュールを選択することで、利用者が所望した目標値に画像処理モジュールを実際に実行した結果としての速度や画質等の評価値を近づけることができる。
【特許文献１】特開２００６−３３８４９８号公報
【発明の開示】
【発明が解決しようとする課題】
【０００４】
本発明の目的は、画像処理の目標値と評価値との誤差を減少することができる画像処理装置及びプログラムを提供することにある。
【課題を解決するための手段】
【０００５】
本発明の一態様は、上記目的を達成するため、以下の画像処理装置、プログラム及びシステムを提供する。
【０００６】
［１］画像情報に対して画像処理を実行する複数の画像処理モジュールと前記画像処理モジュールの前記画像処理の能力の期待値を示す期待値表情報を記憶する記憶手段と、前記画像処理の能力の目標値を設定する目標値設定手段と、前記目標値と、前記期待値表情報の前記期待値に対して重み付けして算出される総合期待値とに基づいて前記画像処理モジュールを組み合わせて画像処理手法を構成する手法構成手段と、前記画像情報に対して、前記手法構成手段によって構成された前記画像処理手法を用いて処理単位ごとに画像処理を実行する画像処理実行手段と、前記画像情報に対して実行された前記画像処理の能力を前記処理単位ごとに評価して前記目標値に対応した評価値を出力する評価値算定手段と、前記目標値及び前記評価値に基づいて前記画像処理モジュールを差し替える手法差替手段とを有する画像処理装置。
【０００７】
［２］前記手法差替手段は、前記評価値が前記目標値を達成していない場合、前記総合期待値が次点の前記画像処理モジュールに差し替える前記［１］に記載の画像処理装置。
【０００８】
［３］前記手法構成手段は、前記総合期待値が次点の前記画像処理モジュールの評価値が前記目標値を達成しない場合、前記期待値の前記重みづけを変更することで前記総合期待値を算出しなおして前記期待値情報を書き換え、前記手法差替手段は、書き換えられた前記期待値情報の総合期待値に基づいて前記画像処理モジュールを差し替える前記［２］に記載の画像処理装置。
【０００９】
［４］前記手法差替手段は、前記期待値を達成しない画像処理モジュールから、前記期待値を達成する画像処理モジュールに差し替える際、前記処理単位ごとに前記期待値の順に段階的に前記画像処理モジュールを差し替える前記［１］に記載の画像処理装置。
【００１０】
［５］前記評価値算定手段は、前記画像処理手法を構成する前記画像処理モジュールごとに前記画像処理の能力を評価する前記［１］に記載の画像処理装置。
【００１１】
［６］画像情報に対して実行する画像処理の能力の目標値を設定する目標値設定ステップと、前記目標値と、前記画像処理の能力の期待値を示す期待値表情報の前記期待値に対して重み付けして算出される総合期待値とに基づいて前記画像処理を実行する画像処理モジュールを組み合わせて画像処理手法を構成する手法構成ステップと、前記画像情報に対して、前記画像処理手法を用いて処理単位ごとに画像処理を実行する画像処理実行ステップと、前記画像情報に対して実行された前記画像処理の能力を前記処理単位ごとに評価して前記目標値に対応した評価値を出力する評価値算定ステップと、前記目標値及び前記評価値に基づいて前記画像処理モジュールを差し替える手法差替ステップとを有する画像処理プログラム。
【００１２】
［７］画像情報に対して実行される画像処理の目標値を設定する目標値設定手段を有する端末装置と、前記画像処理を実行する複数の画像処理モジュールと前記画像処理モジュールの前記画像処理の能力の期待値を示す期待値表情報を記憶する記憶手段と、前記目標値と、前記期待値表情報の前記期待値に対して重み付けして算出される総合期待値とに基づいて前記画像処理モジュールを組み合わせて画像処理手法を構成する手法構成手段と、前記画像情報に対して、前記手法構成手段によって構成された前記画像処理手法を用いて処理単位ごとに画像処理を実行する画像処理実行手段と、前記画像情報に対して実行された前記画像処理の能力を前記処理単位ごとに評価して前記目標値に対応した評価値を出力する評価値算定手段と、前記目標値及び前記評価値に基づいて前記画像処理モジュールを差し替える手法差替手段とを有する画像処理システム。
【発明の効果】
【００１３】
請求項１、６又は７に係る発明によれば、画像処理手法の処理単位ごとに画像処理モジュールを差し替えて、画像処理の目標値と評価値との誤差を減少することができる。
【００１４】
請求項２に係る発明によれば、重み付けの影響を無視し、目標値を上回る期待値を有する画像処理モジュールに変更して画像処理の目標値と評価値との誤差を最小にすることができる。
【００１５】
請求項３に係る発明によれば、重み付けを変更し、目標値を上回る期待値を有する画像処理モジュールに変更して画像処理の目標値と評価値との誤差を最小にすることができる。
【００１６】
請求項４に係る発明によれば、画像処理モジュールを段階的に差し替えて画像処理後の画像情報の画質が不自然になることを防ぐことができる。
【００１７】
請求項５に係る発明によれば、画像処理手法の画像処理モジュールごとに、より詳細に画像処理手法を評価することができる。
【発明を実施するための最良の形態】
【００１８】
本発明の実施の形態に係る画像処理装置は、画像情報に対して画像処理を実行する複数の画像処理モジュールと前記画像処理モジュールの前記画像処理の能力の期待値を示す期待値表情報を記憶する記憶手段と、前記画像処理の能力の目標値を設定する目標値設定手段と、前記目標値と、前記期待値表情報の前記期待値に対して重み付けして算出される総合期待値とに基づいて前記画像処理モジュールを組み合わせて画像処理手法を構成する手法構成手段と、前記画像情報に対して、前記手法構成手段によって構成された前記画像処理手法を用いて処理単位ごとに画像処理を実行する画像処理実行手段と、前記画像情報に対して実行された前記画像処理の能力を前記処理単位ごとに評価して前記目標値に対応した評価値を出力する評価値算定手段と、前記目標値及び前記評価値に基づいて前記画像処理モジュールを差し替える手法差替手段とを有するものである。
【００１９】
上記画像処理装置において、処理単位は、画像処理手法が処理する情報の単位であり、各画像処理モジュールごとに予め設定される処理単位の組み合わせによって決定される。また、目標値及び評価値は、例えば、画像処理の速度を示す処理速度、画像の劣化度を示す画質、画像の情報量の圧縮度を示す圧縮画像サイズ及びそれらに重みづけして総合的に評価した総合期待値等によって数値化される。
【００２０】
［第１の実施の形態］
（情報管理システムの構成）
図１は、本発明の第１の実施の形態に係る画像処理装置の構成例を示すブロック図である。
【００２１】
画像処理装置１は、ＣＰＵ（Ｃｅｎｔｒａｌ  Ｐｒｏｃｅｓｓｉｎｇ  Ｕｎｉｔ）等の情報処理手段及びインターフェース回路等を含む制御部２と、ＨＤＤ（Ｈａｒｄ  Ｄｉｓｃ  Ｄｒｉｖｅ）等の不揮発性メモリである記憶部３と、制御部２の制御に基づいて文字や画像等を表示する表示部４と、複数のスイッチ等からなり制御部２に対して操作信号を出力する操作部５とを有する。
【００２２】
制御部２は、画像処理モジュールを処理順に組み合わせて画像処理手法を構成する手法構成手段２０Ａと、画像処理手法の一部又は全部を他の画像処理モジュール又は他の画像処理手法に差し替える手法差替手段２０Ｂと、手法差替手段２０Ｂが差し替える更新モジュールを判定する更新モジュール判定手段２０Ｃと、画像処理手法の各画像処理モジュールの接続関係を保持する接続管理手段２０Ｄと、各画像処理モジュールの画像処理を評価して評価値として出力する評価値算定手段２０Ｅと、評価値算定手段２０Ｅの評価値と目標値とを比較する評価値比較手段２０Ｆと、評価値算定手段２０Ｅの評価値に基づいて後述する期待値表情報３２の期待値を更新する表更新手段２０Ｇ、利用者の入力に基づいて達成するべき目標値を設定する目標値設定手段２０Ｈと、手法構成手段２０Ａの構成した画像処理手法に基づいて画像情報３０に対して画像処理を実行する画像処理実行手段２０Ｉとを有する。
【００２３】
記憶部３は、複数の画像処理モジュールを含む画像処理プログラム２０と、画像処理対象としてのＪＰＥＧ、ＴＩＦＦ、ＢＩＴＭＡＰ等の画像データである画像情報３０と、画像処理モジュールを処理順に組み合わせた画像処理手法を定義する手法表情報３１と、各画像処理手法の期待値を示す期待値表情報３２とを有する。なお、制御部２は、記憶部３に記憶された画像処理プログラム２０を実行することにより上記した手法構成手段２０Ａ、手法差替手段２０Ｂ、更新モジュール判定手段２０Ｃ、接続管理手段２０Ｄ、評価値算定手段２０Ｅ、評価値比較手段２０Ｆ、表更新手段２０Ｇ、目標値設定手段２０Ｈ及び画像処理実行手段２０Ｉとして機能する。
【００２４】
図２Ａは、本発明の第１の実施の形態に係る画像処理装置の画像処理手法構成例を示すブロック図である。
【００２５】
手法３２０は、例えば、モジュールＡと、モジュールＢと、モジュールＣとを有し、その順序を定義する。モジュールＡ〜Ｃは、例えば、画像読込処理、画像サイズ変更処理、アフィン変換処理、回転処理、色変換処理、フィルタ処理及び画像合成処理等を実行するための画像処理モジュールである。また、各画像処理モジュールは、例えば、画像サイズ変更処理において、複数の方式を有しそれらをモジュールの方式とする。
【００２６】
図２Ｂは、本発明の第１の実施の形態に係る手法表情報の内容例を示す概略図である。
【００２７】
手法表情報３１は、各画像処理手法を識別するための任意の識別子を有する手法と、各手法に対して設定される画像処理モジュールを示すモジュールＡ〜モジュールＣとを有する。各モジュールＡ〜モジュールＣは、それぞれ複数のモジュールの方式を有する。なお、各画像処理手法は、単数又は複数の画像処理モジュールから構成されていればよい。また、画像処理を実行しない画像処理手法を含んでもよい。
【００２８】
図３Ａは、本発明の第１の実施の形態に係る期待値表情報の内容例を示す概略図である。
【００２９】
期待値表情報３２は、期待値算出の基準を示す期待値と、複数の画像処理モジュールの方式とを有する。各モジュールの方式に対して期待値が設定されており、各期待値の総合的な値として総合期待値が設定される。なお、総合期待値は、各期待値に重み付けを設定して算出される（後述）。
【００３０】
図３Ｂは、本発明の第１の実施の形態に係る手法表情報と期待値表情報の関係を示す概略図である。
【００３１】
総合期待値の順序に基づき期待値表情報３２を並べた一例として、図３Ｂに示すような順序で画像処理モジュールの方式が並べられる。
【００３２】
（動作）
以下に、本発明の第１の実施の形態における画像処理装置及びプログラムの動作を各図を参照しつつ説明する。
【００３３】
図４Ａは、本発明の第１の実施の形態に係る画像処理装置の動作例を示す概略図である。
【００３４】
画像処理の対象となる入力画像情報３０Ａは、予め定められたの処理単位毎に画像処理手法３２０Ａに入力され、画像処理手法３２０Ａとして接続された順に各画像処理モジュールの画像処理が適用される。例えば、処理単位を入力画像情報３０Ａの水平ラインとすれば、１ラインごとにライン＃１から順に、モジュールＡ１  ３１１Ａ、モジュールＢ２  ３１２Ｂ、モジュールＣ５  ３１５Ｃによって画像処理される。入力画像情報３０Ａは既に画像処理手法３１Ａに入力された入力済３００Ａの領域と画像処理手法３１Ａに入力されていない未入力３０１Ａの領域とを有する。図４Ａにおいて、入力画像情報３０Ａのライン＃１〜＃Ｎ−１が入力済３００Ａであり、ライン＃Ｎは、次に画像処理される水平ラインである。
【００３５】
画像処理後に生成される出力画像情報３０Ｂは、モジュールＡ１  ３１１Ａ、モジュールＢ２  ３１２Ｂ、モジュールＣ５  ３１５Ｃによって画像処理されて生成された画像処理済３００Ｂの領域と画像処理が実行されておらず生成されていない画像未処理３０１Ｂの領域とを有する。出力画像情報３０Ｂの水平ラインの番号は、入力画像情報３０Ａの水平ラインの番号と一致するものとする。
【００３６】
図４Ｂは、本発明の第１の実施の形態に係る画像処理装置の動作例を示す概略図である。
【００３７】
入力画像情報３０Ａは、図４Ｂにおいて、入力済３００Ａの領域が図４Ａの状態から水平ラインが１ライン分進んだライン＃Ｎであり、画像処理を実行中の水平ラインが＃Ｎ＋１である。同様に、出力画像情報３０Ｂにおいても画像処理済３００Ｂの領域が水平ラインが１ライン分進んだライン＃Ｎであり、画像処理を実行中の水平ラインが＃Ｎ＋１である。
【００３８】
モジュールＢ３  ３１３Ｂは、図４ＡにおけるモジュールＢ２  ３１２Ｂを差し替えることで挿入された他の方式の画像処理モジュールである。なお、画像処理モジュールの差し替えは、他の方式の画像処理モジュールへの差し替えに加え、他の画像処理モジュールと並列に接続する形態であってもよい。
【００３９】
図４Ｃは、本発明の第１の実施の形態に係る画像処理装置の動作例を示す概略図である。
【００４０】
モジュールＤ１  ３１１Ｄは、図４Ａの画像処理手法におけるモジュールＢ２  ３１２Ｂの前段に挿入された画像処理モジュールである。
【００４１】
図４Ｄは、本発明の第１の実施の形態に係る画像処理装置の動作例を示す概略図である。
【００４２】
モジュールＢ２  ３１２Ｂは、図４Ａにおける画像処理手法から削除された画像処理モジュールである。
【００４３】
図５（ａ）〜（ｆ）は、本発明の第１の実施の形態に係る画像処理装置の総合期待値の計算例を示す概略図である。
【００４４】
各画像処理モジュールの期待値に対して乗じられる重みは、一例として図５（ａ）に示すように定められる。
【００４５】
総合期待値は、図５（ｂ）に示すように、例えば、画像処理モジュールＡ１であれば、速度＝２、画質＝５、圧縮＝５の各期待値に対して、図５（ａ）の重みを乗じて、４×２＋３×５＋２×５＝３３というように算出される。
【００４６】
また、各画質処理モジュールの方式の総合期待値を算出することで、各画質処理モジュールの総合期待値は、図５（ｃ）に示すような順序となる。
【００４７】
また、各画像処理モジュールの期待値に対して乗じられる重みは、他の例として図５（ｄ）に示すように定められる。
【００４８】
総合期待値は、図５（ｅ）に示すように、例えば、画像処理モジュールＡ１であれば、速度＝２、画質＝５、圧縮＝５の各期待値に対して、図５（ｄ）の重みを乗じて、５×２＋３×５＋１×５＝３０というように算出される。
【００４９】
また、各画質処理モジュールの方式の総合期待値を算出することで、各画質処理モジュールの総合期待値は、図５（ｆ）に示すような順序となる。
【００５０】
（動作）
図６は、本発明の第１の実施の形態に係る画像処理装置の動作例を示すフローチャートである。
【００５１】
まず、手法構成手段２０Ａは、総合期待値に基づいて画質処理モジュールの方式を選択する（Ｓ１）。例えば、図５（ｃ）において最も総合期待値の高いモジュールＡ１を選択する。次に、画像処理実行手段２０Ｉは、選択された手法を用いて、例えば、画像情報の水平ラインの１ラインに対して画像処理を実行する（Ｓ２）。
【００５２】
評価値算定手段２０Ｅは、選択された手法を評価して評価値を算出し（Ｓ３）、評価値比較手段２０Ｆは、評価値算定手段２０Ｅの出力した評価値と目標値設定手段２０Ｈによって設定された目標値とを比較し、評価値が目標値を達成している場合（Ｓ４；Ｙｅｓ）、全てのラインについてステップＳ２及び３を繰り返す（Ｓ５；Ｎｏ）。速度の目標値＝２、画質目標値＝２であって、速度の評価値＝３、画質の評価値＝３であれば、すべてのラインについてステップＳ２及びＳ３を繰り返す。
【００５３】
また、ステップＳ４において、評価値が目標値を達成していない場合（Ｓ４；Ｎｏ）、例えば、速度の評価値＝１であって速度の目標値＝２を達成していない場合、手法差替手段２０Ｂは、総合期待値の低い次点の画質処理モジュールの方式に差し替える（Ｓ６）。例えば、図５（ｃ）においてモジュールＡ１から次点のモジュールＡ３に差し替える。
【００５４】
次に、差し替えたモジュールの期待値が目標値以上である場合（Ｓ７；Ｙｅｓ）、例えば、モジュールＡ３に差し替えて、速度の期待値＝３が速度の目標値＝２以上であり、画質の期待値＝３が画質の期待値＝２以上である場合は、ステップＳ５へ進む。
【００５５】
また、差し替えたモジュールの期待値が目標値以上でない場合（Ｓ７；Ｎｏ）、例えば、速度の目標値＝４、画質の目標値＝２であり、モジュールＡ３の速度の期待値＝３が速度の目標値＝４より小さい場合、表更新手段２０Ｇは、総合期待値の重み付けを、例えば、図５（ａ）に示すものから図５（ｄ）に示すものに変更する（Ｓ８）。
【００５６】
次に、表更新手段２０Ｇは、変更した重みづけによって、例えば、図５（ｅ）及び（ｆ）に示すように、総合期待値を書き換える（Ｓ９）。これにより、ステップＳ１において、手法構成手段２０Ａは、総合評価値の最も高い画質処理モジュールＡ５を選択する。
【００５７】
画像処理プログラム２０は、全てのラインについてステップＳ２〜Ｓ４及びＳ６〜Ｓ９を実行すると画像処理を終了する（Ｓ５；Ｙｅｓ）。
【００５８】
［第２の実施の形態］
図７は、本発明の第２の実施の形態に係る画像処理装置の動作例を示すフローチャートである。
【００５９】
図７におけるステップＳ１１〜Ｓ１９は、図６におけるステップＳ１〜Ｓ９とそれぞれ同一の処理を実行するため、説明を省略する。
【００６０】
ステップＳ１９において総合期待値が書き換えられると、手法差替手段２０Ｂは、総合期待値の次に高い方式のモジュールに差し替える（Ｓ２０）。つまり、総合期待値の書き換え前に画質処理モジュール４を用いていた場合は、ステップＳ１１のように画質処理モジュールＡ５を選択せずに、図５（ｆ）に基づいて画質処理モジュール３を選択する。
【００６１】
次に、ステップＳ２０で選択した画質処理モジュールの方式の期待値が目標値以上である場合（Ｓ２１；Ｙｅｓ）、ステップＳ１２に戻る。
【００６２】
また、ステップＳ２０で選択した画質処理モジュールの方式の期待値が目標値より小さい場合（Ｓ２１；Ｎｏ）、１ライン分画質処理し（Ｓ２２）、ステップＳ２０に戻ることによってさらに総合期待値の高い画質処理モジュールに差し替えてステップＳ２１及びＳ２２を繰り返す。つまり、例えば、図５（ｆ）において、画質処理モジュールＡ５からＡ５に差し替える際に、Ａ４、Ａ３、Ａ１、Ａ５の順に１ラインずつ画像処理を実行して画質処理を急激に変化させない。
【００６３】
［第３の実施の形態］
図８は、本発明の第３の実施の形態に係る画像処理装置の動作例を示すフローチャートである。
【００６４】
まず、手法構成手段２０Ａは、期待値表情報３２Ａの総合期待値に基づいて画像処理手法を選択する（Ｓ２１）。次に、画像処理実行手段２０Ｉは、選択された画像処理手法を用いて画像情報の水平ラインの１ラインに対して画像処理を実行する（Ｓ２２）。
【００６５】
ステップＳ２２において、画像処理実行手段２０Ｉは、選択された画像処理手法のモジュールＡをまず実行し、評価値算定手段２０Ｅは、モジュールＡを評価して評価値を算出して、評価値比較手段２０Ｆは、評価値算定手段２０Ｅの出力した評価値と各モジュールの期待値を記述した期待値表情報３２の期待値とを比較する（Ｓ２３）。またモジュールＡの評価値が期待値と、異なる場合は、期待値表情報３２の期待値を評価値で書き換える（Ｓ２４）。また、評価値が目標値を達成するようにモジュールＡを他の画像処理モジュールの方式に差し替える（Ｓ２５）。なお、画像処理モジュールの差し替えは、第１の実施の形態又は第２の実施の形態における方法を用いる。
【００６６】
また、ステップＳ２６〜Ｓ２８は、モジュールＢについてステップＳ２３〜Ｓ２５と同様の動作を実行し、ステップＳ２９〜Ｓ３１は、モジュールＣについてステップＳ２３〜Ｓ２５と同様の動作を実行する。
【００６７】
［他の実施の形態］
なお、本発明は、上記実施の形態に限定されず、本発明の趣旨を逸脱しない範囲で種々な変形が可能である。
【００６８】
また、上記実施の形態で使用される手法構成手段２０Ａ、手法差替手段２０Ｂ、更新モジュール判定手段２０Ｃ、接続管理手段２０Ｄ、評価値算定手段２０Ｅ、評価値比較手段２０Ｆ、表更新手段２０Ｇ、目標値設定手段２０Ｈ及び画像処理実行手段２０Ｉは、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部又は全部をＡＳＩＣ等のハードウェアによって実現してもよい。
【図面の簡単な説明】
【００６９】
【図１】本発明の第１の実施の形態に係る画像処理装置の構成例を示すブロック図である。
【図２Ａ】本発明の第１の実施の形態に係る画像処理装置の手法構成例を示すブロック図である。
【図２Ｂ】本発明の第１の実施の形態に係る手法表情報の内容例を示す概略図である。
【図３Ａ】本発明の第１の実施の形態に係る期待値表情報の内容例を示す概略図である。
【図３Ｂ】本発明の第１の実施の形態に係る手法表情報と期待値表情報の関係を示す概略図である。
【図４Ａ】本発明の第１の実施の形態に係る画像処理装置の動作例を示す概略図である。
【図４Ｂ】本発明の第１の実施の形態に係る画像処理装置の動作例を示す概略図である。
【図４Ｃ】本発明の第１の実施の形態に係る画像処理装置の動作例を示す概略図である。
【図４Ｄ】本発明の第１の実施の形態に係る画像処理装置の動作例を示す概略図である。
【図５】（ａ）〜（ｆ）は、本発明の第１の実施の形態に係る画像処理装置の総合期待値の計算例を示す概略図である。
【図６】本発明の第１の実施の形態に係る画像処理装置の動作例を示すフローチャートである。
【図７】本発明の第２の実施の形態に係る画像処理装置の動作例を示すフローチャートである。
【図８】本発明の第３の実施の形態に係る画像処理装置の動作例を示すフローチャートである。
【符号の説明】
【００７０】
１…画像処理装置、２…制御部、３…記憶部、４…表示部、５…操作部、２０…画像処理プログラム、２０Ａ…手法構成手段、２０Ｂ…手法差替手段、２０Ｃ…更新モジュール判定手段、２０Ｄ…接続管理手段、２０Ｅ…評価値算定手段、２０Ｆ…評価値比較手段、２０Ｇ…表更新手段、２０Ｈ…目標値設定手段、２０Ｉ…画像処理実行手段、３０…画像情報、３０Ａ…入力画像情報、３０Ｂ…出力画像情報、３１…手法表情報、３２…期待値表情報、３００Ａ…入力済、３００Ｂ…画像処理済、３０１Ａ…未入力、３０１Ｂ…画像未処理、３２０…手法、３２０Ａ〜３２０Ｄ…手法、３１０Ａ〜３１０Ｃ…モジュールＡ〜Ｃ、３１１Ａ…モジュールＡ１、３１１Ｄ…Ｄ１、３１２Ｂ…モジュールＢ２、３１３Ｂ…モジュールＢ３、３１５Ｃ…モジュールＣ５
【図１】
2010097346.tif 000003
【図２Ａ】
2010097346.tif 000004
【図２Ｂ】
2010097346.tif 000005
【図３Ａ】
2010097346.tif 000006
【図３Ｂ】
2010097346.tif 000007
【図４Ａ】
2010097346.tif 000008
【図４Ｂ】
2010097346.tif 000009
【図４Ｃ】
2010097346.tif 000010
【図４Ｄ】
2010097346.tif 000011
【図５】
2010097346.tif 000012
【図６】
2010097346.tif 000013
【図７】
2010097346.tif 000014
【図８】
2010097346.tif 000015